(57)【特許請求の範囲】
【請求項１】
両端部に家具本体の係合部と係合し得るラッチ爪を有するラッチ杆を、家具本体に開閉自在に枢着された扉の裏面に前記係合方向に回動付勢状態で軸支するとともに、扉の表面側に設けたレバーに連係させて、ラッチ杆を前記係合部と離脱する方向に回動させ得るようにした家具における扉のラッチ装置において、
前記係合部と係合する爪部と、該爪部の基部から扉の上下方向に延設された軸部と、軸部における爪部と反対側に延設された軸部より大径の鍔部とからなるラッチ爪を前記ラッチ杆の上下端部に固定するとともに、前記ラッチ爪の軸部を挾持するように回動自在に軸支する第１受部材及び第２受部材をそれぞれ前記扉の裏面に取付けることで、各ラッチ爪及びラッチ杆を扉の裏面に取付けできるようになっており、
前記第１受部材は、前記軸部を軸支可能なほぼＵ字状の挿通部及び該挿通部の内面に前記第２受部材を嵌合可能な切欠部が形成されるとともに、前記扉の裏面に取付けるためのネジが挿通する孔部が側面に形成されており、前記ラッチ爪の軸部を前記挿通部に挿通した状態で、前記扉の裏面に固設した第２受部材に前記切欠部を嵌合し、前記孔部に挿通したネジを以て前記扉の裏面に対して垂直方向から取付けできるようになっていることを特徴とする家具における扉のラッチ装置。
【発明の詳細な説明】
【０００１】
【発明の属する技術分野】
本発明は、ロッカー等の家具における扉のラッチ装置に関する。
【０００２】
【従来の技術】
従来、この種の扉のラッチ装置として、例えば実開昭53一136994号公報および実公平1−18772号公報等が開示されている。
【０００３】
これらのラッチ装置はいずれも金属製のロッカーや衣類保管庫等の扉に用いられるものであり、両装置ともに上下のラッチ爪は、扉の裏面側の上下に各々固着された離間して対向する一対の水平板によって上下移動しないように支持され、かつ、上下のラッチ爪と、上部の両水平板及び下部の上側の水平板とにラッチ杆が挿通する孔が設けられている。
【０００４】
ラッチ杆とラッチ爪との扉への取付けは、前者考案の装置では、上下各一対の水平板に、ラッチ爪を水平板とラッチ爪との孔を一致させた状態で支持した後、ラッチ杆を扉の上方からそれら全ての孔に挿通し、ラッチ杆の下端を下部の下側の水平板の上面と当接させることにより行われ、後者考案の装置では、前者考案の装置と同様に、上下各一対の水平板に、ラッチ爪を水平板とラッチ爪との孔を一致させた状態で支持した後、先に上部の各孔にラッチ杆の上部を挿通し、一度ラッチ杆の上端を上部の上側の水平板より上方に突出させてから、下部の各孔にラッチ杆の下部を挿通し、ラッチ杆の下端を下部の下側の水平板の上面と当接させることにより行われる。
【０００５】
【発明が解決しようとする課題】
しかしながら、前者考案の装置と後者考案の装置には、ラッチ杆とラッチ爪との取付け方に違いがあるものの、両者を取付ける前に、ラッチ爪を上下各一対の水平板に、ラッチ爪と水平板との孔を一致させた状態で支持する必要があり、この位置合わせが面倒であるとともに、各孔位置にずれがあるとラッチ杆の各孔への挿通がうまく行えず、組立に時間が掛かるばかりか、ラッチ杆が滑らかに回動しなくなるといった間題点があった。
【０００６】
本発明は、このような間題点を解決するため、ラッチ杆とラッチ爪との取付けが容易に行え、組立が簡単で、かつ、木製のロッカーや衣類保管庫等の扉に使用可能な家具における扉のラッチ装置を提供することを目的としている。
【０００７】
【課題を解決するための手段】
上記目的を達成するために、本発明の家具における扉のラッチ装置は、両端部に家具本体の係合部と係合し得るラッチ爪を有するラッチ杆を、家具本体に開閉自在に枢着された扉の裏面に前記係合方向に回動付勢状態で軸支するとともに、扉の表面側に設けたレバーに連係させて、ラッチ杆を前記係合部と離脱する方向に回動させ得るようにした家具における扉のラッチ装置において、
前記係合部と係合する爪部と、該爪部の基部から扉の上下方向に延設された軸部と、軸部における爪部と反対側に延設された軸部より大径の鍔部とからなるラッチ爪を前記ラッチ杆の上下端部に固定するとともに、前記ラッチ爪の軸部を挾持するように回動自在に軸支する第１受部材及び第２受部材をそれぞれ前記扉の裏面に取付けることで、各ラッチ爪及びラッチ杆を扉の裏面に取付けできるようになっており、
前記第１受部材は、前記軸部を軸支可能なほぼＵ字状の挿通部及び該挿通部の内面に前記第２受部材を嵌合可能な切欠部が形成されるとともに、前記扉の裏面に取付けるためのネジが挿通する孔部が側面に形成されており、前記ラッチ爪の軸部を前記挿通部に挿通した状態で、前記扉の裏面に固設した第２受部材に前記切欠部を嵌合し、前記孔部に挿通したネジを以て前記扉の裏面に対して垂直方向から取付けできるようになっていることを特徴としている。
この特徴によると、ラッチ杆を受部材を用いて挾持しつつ扉に固定することにより、ラッチ杆を回動可能かつ上下移動不能に扉に取付けできる。このようにラッチ杆を支持する受部材にラッチ杆を上下方向に挿通させることなく、各受部材を扉に垂直方向に取付けるだけの簡単な組立作業だけで扉のラッチ装置を構成でき、取付時における位置調整や煩雑な組立作業が不要となる。
【０００８】
【発明の実施の形態】
以下、本発明の実施形態を図面に基づいて説明していくと、まず図１には本発明の実施形態としてのロッカー１が示されており、該ロッカー１の前面開口部２には扉３が前方向に回動自在に取付けられている。ロッカー１内上下面には、扉３が閉じられた時にその裏面の上下端辺を当接規制し得る前端面４ａ、４ａ’を有する上・下板４、４’が設けられている。
【０００９】
１３、１３’（１３は図５、図６に図示）は、後述するラッチ爪１２と係合し得る係合部としての係合片であり、ビス５１を用いて上・下板４、４’所定箇所にそれぞれ取付けられている。なお１３ａは係合片１３の一部を構成する爪部である。５は、前記扉３の表面端部において前方に向って突設された把手であり、その下部の６はロック用の鍵穴である。
【００１０】
扉３裏面３ａには、図２〜４に示されるように取付板７がビス８を介して取付けられ、この取付板７より後方に突設された上下の支持片９、９間には、回動筒１０が枢支されており、この回動筒１０および支持片９、９にはラッチ杆１１が貫通されている。尚、このラッチ杆１１は、回動筒１０に対して相対回転不能に嵌合されている。
【００１１】
前記ラッチ杆１１は扉３の裏面上下方向に延びており、その上下両端部にはラッチ爪１２、１２’が回動不能に嵌入されている。詳しくはこのラッチ爪１２、１２’は、特に図５に示されるように（１２’は図示せず）、係合片１３に係合可能な爪部１２ａと、該爪部１２ａの基部１２ｂから延設された軸部４０と、軸部４０下端に形成された鍔部４１とから形成され、ここに設けられた断面略矩形状の凹部４０ａには、同じく断面略矩形状に形成されたラッチ杆１１の上端部が相対回転不能に嵌入出来るようになっている。
【００１２】
図５〜図７に示されるように、４２、４５は、軸部４０を回動可能に挾持する第１受部材及び第２受部材であり、第１受部材４２は、側面より形成された孔部４７及び孔部４７より小径の孔部４６を挿通するネジ４８により、また、第２部材４５は挿通孔４９を挿通するネジ５０により扉３の裏面３ａにそれぞれ固設出来るようになっている。
【００１３】
第１受部材４２の略中央位置には軸部４０を軸支可能なほぼＵ字状の挿通部４３が形成されているとともに、該挿通部４３内面には、第２受部材４５が嵌合可能な切欠部４４が形成されている。
【００１４】
このような第１、第２受部材４２、４５を用いてラッチ杆１１及びラッチ爪１２を扉３の裏面３ａに取付けるには、特に図７に示されるように、まず第２受部材４５を直接裏面３ａ所定箇所に固設する。そしてラッチ爪１２の軸部４０を第１受部材４２の挿通部４３に挿通した状態で、第２受部材４５が切欠部４４に嵌合されるように第１受部材４２を裏面３ａにネジ４８を以て取付ければよい（扉３下部のラッチ爪１２’も同時に取付ける）。
【００１５】
取付けられたラッチ杆１１は、それぞれ第１、第２受部材により回動可能に挾持されるとともに、扉３の上部の鍔部４１の上面が第１受部材４２の下面に、また扉３の下部の鍔部４１’の下面が第１受部材４２’の上面によりそれぞれ当接規制されることにより、上下移動不能に支持されることになる。
【００１６】
図２に戻って、回動筒１０からは、該回動筒１０の回動範囲を規制するストッパ片１５と、ロック装置１６のスライド部材１７に係止される係止片１８と、一端が固定片１９に係止されたバネ２０の他端を係止する固定片２１と、さらに後述するレバー２２の先端部により押圧される押圧片２３とがそれぞれ突設されている。
【００１７】
尚、ロック装置１６は、図１における鍵穴６に鍵（図示せず）を差込み回動することによりスライド部材１７が上下方向にスライドする機構を有しており、その機構等の説明はここでは省略する。また、２４はこれら機構を覆うカバー体である。
【００１８】
次に図３（ａ）（ｂ）に示されるように、扉３にはその裏面に形成された凹部２５に貫通する貫通穴２６が形成されており、この貫通穴２６には、図４に示されるように把手５の取付部５ａが嵌合され、扉３の裏側より凹部２５内に内挿された取付板２５ａに、ビス２７を介して固設されている。また、上下各々の取付部５ａの内側には、突部２８が突設されている。
【００１９】
レバー２２は、扉３の貫通穴２６内に挿通され、その略中間部が上下端に弾性変形可能に形成された係止片２９の孔３０を介して、把手５の突部２８に枢着されている。この枢着作業は、扉３の後方からレバー２２を貫通穴２６に圧入することにより、係止片２９の先端が突部２８に乗り上げ、その後さらに押圧することにより、孔３０と突部２８とが嵌合されることによって達成される。レバー２２の前方の押圧部２２ａは、把手５の一側面に形成された切欠部３１内に臨むように扉３の前方に突設され、後方は取付板７の孔７ａより後方に延出され、その先端部２２ｂが回動筒１０の押圧片２３に当接されている。
【００２０】
次に、このように構成されたラッチ装置の作用を図面に基づいて説明すると、まず、通常の状態においてレバー２２は図３（ａ）に示されるように回動筒１０の固定片２１がバネ２０の微量の引張方向に付勢されているので、押圧片２３により先端部２２ｂが押圧され、押圧部２２ａの前面が把手５の切欠部３１より若干突出する状態に固定されている。ここで、扉３は閉じられた状態であり、ラッチ爪１２は係合片１３（図５、図６参照）に係合されている。
【００２１】
そして扉３を開放するには、まず、把手５の両側面を片手で挟む。すると、図３（ｂ）に示されるように押圧部２２ａが図中矢印方向に押圧され、レバー２２の先端部２２ｂが枢着部を中心に押圧部２２ａと反対回りに回動される。そして押圧片２３が矢印方向に押圧され、回動筒１０が回動する。
【００２２】
この回動筒１０の回動により、ラッチ杆１１も同様に回動されるので、ラッチ爪１２が係合片１３（図６参照）より逸脱され、扉３が開放可能になる。尚、この時の回動筒１０の回動範囲は、ストッパ片１５が取付板７に当接されることで規制されるようになっている。そして、親指を押圧部２２ａから外すことで、回動筒１０がバネ２０の引張力により逆回動されるので、レバー２２は通常の状態（図３（ａ）参照）に自動的に戻るようになっている。
【００２３】
よって、扉３の前方に突設された把手５の両側面を片手で挟むことで、該把手５の一側面に形成された切欠部３１内に設けられたレバー２２の押圧部２２ａが押入されるようになっているので、ラッチ爪１２と係合片１３との係合が解除され、扉３の開放が可能になるとともに、押圧部２２ａの押圧をやめることでラッチ爪１２は自動的に元の状態に戻る。なお、把手５を用いず、扉３を閉じるだけでもラッチ爪１２は自動的に係合片１３に係合されるようになっている。
【００２４】
このように本発明の扉のラッチ装置にあっては、扉３の前面に垂直に突設された把手５の両側面を片手で挟むことにより、該把手の一側面を構成するレバー２２の押圧部２２ａが押圧され、ラッチ爪１２と係合片１３との係合が解除されるようになっているため、扉３の開閉操作が容易にしかも確実に行われるようになっている。
【００２５】
また、扉３に小さな貫通穴を設けることで把手５及びレバー２２を取付けることが出来るため、木製のロッカーや家具等にも容易にラッチ装置を取付けることが出来る。
【００２６】
さらに、レバー２２の操作のために引手穴等を設けることが不要であるため、把手５等がコンパクト化され、扉３の美観を損ねることがなくなる。
【００２７】
また、ラッチ杆１１の扉３への取付にあっては、取付板７の支持片９、９間に枢支された回動筒１０にラッチ杆１１を挿通した状態で、取付板７を扉３の裏面３ａに取付た後、ラッチ爪１２、１２’をラッチ杆１１の上下端部にそれぞれ嵌入し、各ラッチ爪１２、１２’の軸部４０を前述したように第１、第２受部材４２、４５を以て挾持するように扉３の裏面３ａに直接取付れば、ラッチ杆１１を回動可能かつ上下移動不能に容易に支持することができる。
【００２８】
このように受部材及び他の支持片に形成されるラッチ杆１１の挿通用の挿通孔の位置合せ等が不要となるばかりか、受部材等にラッチ杆１１を挿通させたりすることなく、上下端部にラッチ爪１２、１２’を取付けた状態でラッチ杆１１を簡単に扉３に支持させることが出来る。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
【発明の効果】
本発明によれば次のような効果が得られる。
【００３１】
（ａ）本発明によれば、ラッチ杆を受部材を用いて挾持しつつ扉に固定することにより、ラッチ杆を回動可能かつ上下移動不能に扉に取付けできる。このようにラッチ杆を支持する受部材にラッチ杆を上下方向に挿通させることなく、各受部材を扉に垂直方向に取付けるだけの簡単な組立作業だけで扉のラッチ装置を構成でき、取付時における位置調整や煩雑な組立作業が不要となる。
【００３２】
【図面の簡単な説明】
【図１】本発明の第１実施形態としての扉のラッチ装置が設けられた家具の斜視図である。
【図２】図１の扉の裏面の要部拡大図である。
【図３】（ａ）は図２のＩ−Ｉ断面図であり、（ｂ）は（ａ）に対応する作用を表わす断面図である。
【図４】図３（ａ）のＩＩ−ＩＩ断面図である。
【図５】図２の扉の要部側面図である。
【図６】図５のＩＩＩ−ＩＩＩ矢視図である。
【図７】ラッチ爪の取付方法を示す組立斜視図である。
【符号の説明】
１        ロッカー
２        開口部
３        扉
４、４’  上・下板
４ａ、４ａ’  前端面
５        把手
５ａ      取付部
６        鍵穴
７        取付板
７ａ      孔
８        ビス
９        支持片
１０        回動筒
１１        ラッチ杆
１２        ラッチ爪
１２ａ、１３ａ  爪部
１２ｂ      基部
１３        係合片（係合部）
１４        支持部材
１５        ストッパ片
１６        ロック装置
１７        スライド部材
１８        係止片
１９、２１  固定片
２０        バネ
２２        レバー
２２ａ      押圧部
２２ｂ      先端部
２３        押圧片
２４        カバー体
２５        凹部
２５ａ      取付板
２６        貫通穴
２７        ビス
２８        突部
２９        係止片
３０        孔
３１        切欠部
４０        軸部
４０ａ      凹部
４１、４１’鍔部
４２、４２’第１受部材
４３        挿通部
４４        切欠部
４５        第２受部材
４６、４７  孔部
４８、５０  ネジ
５１        ビス
【図１】
0003774010.tif 000002
【図２】
0003774010.tif 000003
【図３】
0003774010.tif 000004
【図４】
0003774010.tif 000005
【図５】
0003774010.tif 000006
【図６】
0003774010.tif 000007
【図７】
0003774010.tif 000008